(57)【要約】【課題】本発明は既知の二液硬化形樹脂を利用したコンクリート構造物表面の補修用シートに係り、要補修面に貼り合わせるのみで短時間で剛体板化し、要補修面を覆うことができ、よって要補修面からの劣化コンクリートの落下を有効に防止することができる補修用シートを提供する。【解決手段】二液硬化形樹脂を形成する一方の硬化形樹脂Ａを含浸させた第一補修シート２と、同他方の硬化形樹脂Ｂを含浸させた第二補修シート３から成り、第一補修シート２と第二補修シート３を重ね合わせ状態でコンクリート構造物１の要補修面４に添着して両硬化形樹脂Ａ，Ｂを接触せしめ硬化を促す補修用シート。【選択図】        図３
2010127005.tif 000002
【特許請求の範囲】
【請求項１】
二液硬化形樹脂を形成する一方の硬化形樹脂を含浸させた第一補修シートと、同他方の硬化形樹脂を含浸させた第二補修シートから成り、第一補修シートと第二補修シートを重ね合わせ状態でコンクリート構造物の要補修面に添着して両硬化形樹脂を接触せしめ硬化を促すことを特徴とする補修用シート。
【請求項２】
上記第一補修シートと上記第二補修シートが不織布又は織布又は海綿質体又は紙材から成ることを特徴とする請求項１記載の補修用シート。
【請求項３】
上記第一補修シートの対向する一方の表面と他方の表面又は一方の表面に剥離シートを貼付し、同様に上記第二補修シートの対向する一方の表面と他方の表面又は一方の表面に剥離シートを貼付したことを特徴とする請求項１記載の補修用シート。
【請求項４】
上記第二補修シートが貼り合わせられる第一補修シートの表面、又は第一補修シートが貼り合わせられる第二補修シートの表面にネットを貼り合わせたことを特徴とする請求項１記載の補修用シート。
【発明の詳細な説明】
【技術分野】
【０００１】
本発明は橋梁、高架橋、トンネル、壁等のコンクリート構造物表面の劣化部位等の要補修面に添着する補修用シートに関する。
【背景技術】
【０００２】
橋梁や高架橋におけるコンクリート床版においては路面からの漏水によりコンクリート床版下面のコンクリートが劣化し剥落する事態が多発している。
【０００３】
特許文献１は上記コンクリート劣化による剥落の危険部位の補修方法として、上記部位の表層コンクリートを除去し、該表層コンクリート除去面域内に補強樹脂繊維入りポリマーセメントモルタルを充填し、該充填モルタルの表面に合成樹脂製ネットを添着し、更に該合成樹脂製ネットの表面に上記補強樹脂繊維入りポリマーセメントモルタルを塗布し、該メッシュを同モルタル内に埋設する現場施工法を開示している。
【０００４】
【特許文献１】特開２００７−１００４２３号公報
【発明の開示】
【発明が解決しようとする課題】
【０００５】
然しながら、上記補修工法では着工までに時間が掛かり、数次の工程と工事日数を要し、工費高となる問題を有しており、特に上記コンクリート剥落の危険部位（要補修部位）の補修に迅速に対応できない問題を有している。
【０００６】
本発明は上記問題を適切に解決する補修用シートを提供するものである。
【課題を解決するための手段】
【０００７】
本発明に係る補修用シートは、二液硬化形樹脂を形成する一方の硬化形樹脂を含浸させた第一補修シートと、同他方の硬化形樹脂を含浸させた第二補修シートから成る。
【０００８】
上記第一補修シートと第二補修シートを重ね合わせ状態でコンクリート構造物の要補修面に添着して両硬化形樹脂を接触せしめ硬化を促し、従って第一，第二補修用シートの硬化を促し、該硬化した第一，第二補修用シートで要補修面を覆って劣化したコンクリートの落下等を未然に防止するようにしたものである。
【０００９】
上記第一補修シートと上記第二補修シートは、二液硬化形樹脂の含浸が可能な多空隙構造のシートであり、該シートとしては合成樹脂繊維又は有機質繊維又はカーボン繊維又はガラス繊維等から成る不織布が圧縮弾性と空隙に富み適性である。
【００１０】
上記不織布に代え、上記各材から成る織布の適用、又スポンジ等の海綿質体又は紙材を用いることができる。
【００１１】
上記第一補修シートの対向する一方の表面と他方の表面又は一方の表面に保護シートとして剥離シートを貼付し、同様に上記第二補修シートの対向する一方の表面と他方の表面又は一方の表面に同剥離シートを貼付し、該剥離シートを剥がしてコンクリート構造物の要補修面に貼付し、且つ第一，第二補修シートを貼り合わせる。
【００１２】
硬化後の第一，第二補修シートの強度を向上する手段として、上記第二補修シートが貼り合わせられる第一補修シートの表面、又は第一補修シートが貼り合わせられる第二補修シートの表面にネットを貼り合わせ、両シートの貼り合わせ界面に該ネットを介在することができる。
【発明の効果】
【００１３】
本発明によれば、コンクリート構造物の要補修面を第一，第二補修シートを重合状態で貼り合わせることにより、両補修シートが剛体板化し、要補修面に強力に接着して覆うことができる。よって要補修面からの劣化コンクリートの落下を有効に防止することができる。
【００１４】
本発明によれば、要補修面に第一，第二補修シートを重ね合わせて添着するのみで、添着後の両硬化形樹脂の硬化を待って容易に且つ迅速に補修を行うことができる。
【００１５】
本発明に係るコンクリート構造物の補修用シートは、劣化を生じ剥落の危険が生じているコンクリート表面の要補修部位の現場施工による補修に着工するまでの応急補修として有効である。
【発明を実施するための最良の形態】
【００１６】
以下本発明を実施するための最良の形態を図１乃至図７に基づき説明する。
【００１７】
図１，図２に示すように、本発明に係るコンクリート構造物１の補修用シートは、二液硬化形樹脂を形成する一方の硬化形樹脂Ａを含浸させた第一補修シート２と、同他方の硬化形樹脂Ｂを含浸させた第二補修シート３から成る。
【００１８】
上記第一補修シート２と第二補修シート３を重ね合わせ状態（コンクリート構造物１表面への貼付前に両シート２，３の重ね合わせ状態にするか、又は両シート２，３を個別に貼付して重ね合わせ状態にする）でコンクリート構造物１の要補修面４に添着し、該添着により両硬化形樹脂Ａ，Ｂを接触せしめて硬化を促し、従って第一，第二補修用シート２，３の硬化を促し、該硬化によって剛体板化した第一，第二補修用シート２，３の貼り合わせ体で要補修面４を覆い、劣化したコンクリート塊の落下等を未然に防止する。
【００１９】
上記第一補修シート２と、上記第二補修シート３は、二液硬化形樹脂の含浸が可能な多空隙構造のシートであり、該シート２，３としては合成樹脂繊維又は有機質繊維又はカーボン繊維又はガラス繊維等から成る不織布が圧縮弾性と空隙に富み適性である。
【００２０】
上記不織布に代え、上記各材から成る織布の適用、又スポンジ等の海綿質体又は紙材を用いることができる。
【００２１】
上記第一補修シート２の対向する一方の表面と他方の表面又は一方の表面に保護シートとして剥離シート５，６を貼付して一方の硬化形樹脂Ａを保護し、同様に上記第二補修シート３の対向する一方の表面と他方の表面又は一方の表面に同剥離シート５，６を貼付して他方の硬化形樹脂Ｂを保護する。
【００２２】
第一補修シート２と第二補修シート３は分離したものを別々に用意し、現場施工に供する。
【００２３】
又は長尺の第一，第二補修シート２，３の夫々をロール状に巻いて備蓄し、現場施工に供する。現場においてはロールを巻き出して必要長に切断して使用する。
【００２４】
又は具体例として、図２Ｃに示すように、第一補修シート２と第二補修シート３を重ね合わせ、該重ね合わせ界面に剥離シート７を介在して両シート２，３に貼り合わせ、更に該剥離シート７を介して貼付した第一，第二補修シート２，３の上記重ね合わせ面と反対側の表面に剥離シート５，６を夫々貼付する。
【００２５】
図２Ｃに示す、第一，第二補修シート２，３の積層体は、該積層体として備蓄され現場使用に供される。
【００２６】
上記第一，第二補修シート２，３の積層体は、図２Ａ，Ｂの補修シート２，３と同様、該積層体の枚葉として備蓄し現場使用に供する。又は該積層体を長尺にしロール状に巻いて備蓄し現場使用に供し、該積層体を巻き出して必要長に切断して使用する。
【００２７】
上記何れの例においても、剥離シート５，６，７は現場施工時に剥がされ、コンクリート構造物１表面への貼り付け、第一，第二補修シート２，３間の貼り合わせに供する。
【００２８】
上記剥離シート５，６，７は何れも硬化形樹脂Ａ，Ｂの粘性を以って貼り合わせる。
【００２９】
次に図１，図２に示す第一，第二補修シート２，３を用いた補修作業について説明する。
【００３０】
補修現場においては、先ず図３Ａに示すように、第一補修シート２の一方の剥離シート５を剥離してコンクリート構造物１の要補修面４に硬化形樹脂Ａの粘着性を以って貼り付ける。
【００３１】
次いで図３Ｂに示すように、第一補修シート２の他方の剥離シート６を剥離する。
【００３２】
次に図３Ｃに示すように、第二補修シート３の一方の剥離シート５を剥離し、該第二補修シート３を上記第一補修シート２の剥離シート６を剥離した表面に重ね合わせ、硬化形樹脂Ａ，Ｂの粘着性を以って貼り付ける。よって両硬化形樹脂Ａ，Ｂを接触せしめ、一方のシートから他方のシートへの各硬化形樹脂Ａ，Ｂの浸潤が促され、硬化を開始せしめる。
【００３３】
上記両硬化形樹脂Ａ，Ｂの接触を促進する手段として、第二補修シート３の他方の剥離シート６の外表面に転圧ローラ８を転がして第一，第二補修シート２，３に転圧を与え、第二補修シート３を第一補修シート２に押し付ける。
【００３４】
上記第一，第二補修シート２，３は圧縮弾性を有し、上記転圧ローラー８による転圧によって両シート２，３は圧縮されつつ、硬化形樹脂Ｂを第二補修シート３から第一補修シート２へ、同時に硬化形樹脂Ａを第一補修シート２から第二補修シート３へ滲出し、両樹脂Ａ，Ｂの接触、即ち混じり合いを助長する。これによって両硬化形樹脂Ａ，Ｂは硬化され、第一，第二補修シート２，３を硬化し剛体板化して要補修面４に強固に接着されてこれを覆う。
【００３５】
次に図３Ｄに示すように、第二補修シート３の他方の剥離シート６を剥離する。上記硬化形樹脂Ａ，Ｂの硬化時間は２４時間程度であり、短時間で上記補修効果が得られる。
【００３６】
図１，図２に示す第一補修シート２と第二補修シート３は補修現場において重ね合わせ貼付してから、該重ね合わせシートを第一補修シート２又は第二補修シート３を以って要補修面４に貼付し、両硬化形樹脂Ａ，Ｂの接触による硬化を促す。
【００３７】
又は上記第一，第二補修シート２，３の一方を要補修面４に貼付し、他方をその外表面に重ねて貼付し、両硬化形樹脂Ａ，Ｂの接触による硬化を促す。
【００３８】
第一，第二補修シート２，３は剥離シート５，６，７を剥がした後の両シート２，３の露出面を以って、硬化形樹脂Ａの粘着力を以って要補修面４に貼付され、両硬化形樹脂Ａ，Ｂの粘着力を以ってシート相互の貼付がなされる。
【００３９】
図５，図６に示すように、硬化し剛体板化した第一，第二補修シート２，３の強度を向上する手段として、上記第二補修シート３が貼り合わせられる第一補修シート２の表面、又は第一補修シート２が貼り合わせられる第二補修シート３の表面にネット９を貼り合わせ、両シート２，３の貼り合わせ界面に該ネット９を介在することができる。
【００４０】
上記ネット９の好ましい例示として図４に示すように、合成樹脂製のマルチフィラメント１０の集合にて扁平帯状の経線と緯線を形成し格子にしたネット９を使用する。
【００４１】
好ましくは、上記マルチフィラメント１０から成る扁平帯状の経線と緯線は、経線の表面に緯線を重ね付けしてネット９を形成した構造のものを使用する。
【００４２】
次に図４，図５に示す第一，第二補修シート２，３を用いた補修作業について説明する。
【００４３】
補修現場においては、先ず図７Ａに示すように、ネット９入りの第一補修シート２の一方の剥離シート５を剥離してコンクリート構造物１の要補修面４に硬化形樹脂Ａの粘着性を以って貼り付ける。
【００４４】
次いで図７Ｂに示すように、第一補修シート２の他方の剥離シート６を剥離しネット９を露出せしめる。
【００４５】
次に図７Ｃに示すように、ネット９を有しない第二補修シート３の一方の剥離シート５を剥離し、該第二補修シート３を上記第一補修シート２の剥離シート６を剥離した表面に重ね合わせ、硬化形樹脂Ａ，Ｂの粘着性を以って貼付する。よって両硬化形樹脂Ａ，Ｂを接触せしめ硬化を開始せしめる。
【００４６】
硬化形樹脂Ａ，Ｂはネット９の目を通し互いに接触し、更にはマルチフィラメント１０から成る経線と緯線を通し接触し上記硬化が促される。
【００４７】
上記両硬化形樹脂Ａ，Ｂの接触を促進する手段として、第二補修シート３の他方の剥離シート６の外表面に転圧ローラ８を転がして第一，第二補修シート２，３に転圧を与え、第二補修シート３を第一補修シート２に押し付け、ネット９を第一，第二補修シート２，３に押し付ける。
【００４８】
上記第一，第二補修シート２，３は圧縮弾性を有し、上記転圧ローラー８による転圧によって両シート２，３は圧縮されつつ、両硬化形樹脂Ａ，Ｂを滲出してネット９を介しての両樹脂Ａ，Ｂの接触を助長する。これによって両硬化形樹脂Ａ，Ｂは硬化され、第一，第二補修シート２，３とネット９を硬化し剛体板化して要補修面４に強固に接着されてこれを覆う。
【００４９】
次に図７Ｄに示すように、第二補修シート３の他方の剥離シート６を剥離する。
【００５０】
前記と同様、図４乃至図７に示す第一補修シート２と第二補修シート３は補修現場においてネット９を介して重ね合わせ貼付してから、該重ね合わせシートを第一補修シート２又は第二補修シート３を以って要補修面４に貼付し、両硬化形樹脂Ａ，Ｂの接触による硬化を促す。
【００５１】
又は上記第一，第二補修シート２，３の一方を要補修面４に貼付し、他方をネット９を貼付した外表面に重ねて貼付し、両硬化樹脂Ａ，Ｂの接触による硬化を促す。
【００５２】
図２Ｃに示す積層体はネット９入りの場合も同様である。
【００５３】
図３，図７の工程において図２Ｃに示す積層体を使用する場合には、該積層体を形成する第一補修シート２の一方の剥離シート５を剥がし、該剥離シート５を剥がした露出面を以ってコンクリート構造物１の要補修面４に積層体のまま貼付し、次に第二補修シート３を第一補修シート２から剥がすと共に、剥離シート７を剥離し、第一補修シート２に重ね貼付する。
【００５４】
次に第二補修シート３の剥離シート６に転圧ローラー８にて転圧を与えた後、該剥離シート６を剥がす。以上によって上記両硬化形樹脂Ａ，Ｂの硬化と第一，第二補修シート２，３の剛体板化を促す。
【００５５】
上記各例における二液硬化形樹脂は既知のものの使用が可能であり、適例として電気化学工業株式会社（デンカ、東京都中央区日本橋室町二丁目１番１号 日本橋三井タワー）製の「デンカハードロックＩＩ」（商標）を用いる。ハードロックＩＩ  ＤＫ５５０−０４は二液主剤形低臭気アクリル樹脂であり、両樹脂Ａ，Ｂは別々の容器に入れて市場に供されており、一方の液を第一補修シート２に含浸し、他方の液を第二補修シート３に含浸する。
【００５６】
上記二液硬化形樹脂は一方が他方を硬化せしめる関係になく、一方と他方を接触によって双方共に硬化せしめる主剤である。第一補修シート２には一方の硬化主剤である硬化形樹脂Ａが含浸され、第二補修シート３は他方の硬化主剤である硬化形樹脂Ｂが含浸されている。よって両シート２，３を両硬化主剤の接触によって剛体板化できる。
【００５７】
上記「デンカハードロックＩＩ」（商標）は特許第２８３９３４８号、同第２７６９２３２号等として特許されており、本願発明における二液硬化形樹脂の理解が可能である。
【００５８】
上記第一，第二補修シート２，３に含浸される二液硬化形樹脂を形成する一方の液も他方の液も上記特許に示す変性アクリル樹脂から成り、両主剤が接触して各主剤を硬化せしめ、両補修シート２，３を硬化せしめる。
【００５９】
本発明はコンクリート構造物の要補修面４の劣化部位を除去しないで上記補修用シートを貼付する場合と、要補修面４の劣化部位を除去して該劣化部位を含む周面領域に貼付する場合を含む。
【００６０】
上記第一，第二補修シート２，３の夫々はあまり厚いと二液硬化形樹脂の接触不全、これに起因する硬化不良を生ずるので、シート２，３の夫々の厚みを１〜５ｍｍ（両シート２，３の貼り合わせ体の厚みを２〜１０ｍｍ）程度とするが、これに限定されるものではない。
【００６１】
又上記第一，第二補修シート２，３を要補修面４に貼り付けた後、第二補修シート３の外表面にアクリル樹脂フィルムやフッ素樹脂フィルムから成る保護フィルム１１を貼付することができる。
【００６２】
上記保護フィルム１１は二液硬化形樹脂Ａ，Ｂの硬化後に接着剤を用いて第二補修シート３の外表面に貼り付ける。又は二液硬化形樹脂Ａ，Ｂの硬化前に同樹脂の粘着性を以って第二補修シートの外表面に貼付する。
【００６３】
又上記保護フィルム１１を第二補修シート３の外表面に事前に貼付しておき、補修作業に供することができる。この場合、保護フィルム１１を貼付した面の剥離シート６を省約することができる。
【図面の簡単な説明】
【００６４】
【図１】Ａは二液硬化形樹脂を形成する一方の硬化形樹脂を含浸させた第一補修シートを一部切欠して示す斜視図、Ｂは同他方の硬化形樹脂を含浸させた第二補修シートを一部切欠して示す斜視図。
【図２】Ａは第一補修シートの断面図、Ｂは第二補修シートの断面図、Ｃは第一，第二補修シートを剥離紙を介して積層した状態を示す断面図。
【図３】Ａ乃至Ｄは第一，第二補修シートを用いたコンクリート構造物の補修工程を説明する断面図。
【図４】第一，第二補修シート間に介在するネットの拡大斜視図。
【図５】Ａは上記ネットを貼り合わせた第一補修シートを一部切欠して示す斜視図、Ｂは該第一補修シートと組み合わせて使用される第二補修シートを一部切欠して示す斜視図。
【図６】Ａは図５Ａの第一補修シートの断面図、Ｂは図５Ｂの第二補修シートの断面図。
【図７】Ａ乃至Ｄは図５に示す第一，第二補修シートを用いたコンクリート構造物の補修工程を説明する断面図。
【符号の説明】
【００６５】
１…コンクリート構造物、２…第一補修シート、３…第二補修シート、４…要補修面、５，６，７…剥離シート、８…転圧ローラー、９…ネット、１０…マルチフィラメント、１１…保護フィルム、Ａ，Ｂ…硬化形樹脂。
【図１】
2010127005.tif 000003
【図２】
2010127005.tif 000004
【図３】
2010127005.tif 000005
【図４】
2010127005.tif 000006
【図５】
2010127005.tif 000007
【図６】
2010127005.tif 000008
【図７】
2010127005.tif 000009